(57)【特許請求の範囲】
【請求項１】
圧縮機の容器に設けた密封端子部を覆う前記容器外表面に固着された取付金具と、この取付金具に装着したコード保持具およびカバーとからなり、前記取付金具には上部の左右に対向する切り起こしと、中央部の左右に対向して係止孔を有する切り起こしと、下部を折り曲げた突出部とを備え、この突出部に装着される前記コード保持具には左右両側面を延長するように１対のリブを備え、前記カバーには左右両側壁の外表面に挿入方向に向かって傾斜するテーパ状の突起を前記切り起こしの係止孔に対応する位置に備え、前記上部切り起こしと前記リブとが内側で前記中央部切り起こしが外側に位置して、挿入される前記カバーの側壁を挟持する構造としたことを特徴とする圧縮機の電装部品。
【請求項２】
前記カバーの各々の突起は２個の凸部からなり、この２個の凸部間は前記カバーの側壁外表面と同一平面であることを特徴とする請求項１に記載の圧縮機の電装部品。
【請求項３】
前記２個の凸部は高さが異なることを特徴とする請求項１ないし請求項２に記載の圧縮機の電装部品。
【請求項４】
前記取付金具の上部切り起こしには孔を備え、この孔に対応した位置の前記カバーの側壁には、挿入方向端に連なるスリットを設けたことを特徴とする請求項１ないし請求項３に記載の圧縮機の電装部品。
【請求項５】
前記カバーの天壁内面には、前記取付金具の上部切り起こしに近接して前記スリットを形成した側壁に略平行な遮蔽壁を設けたことを特徴とする請求項１ないし請求項４のいずれかに記載の圧縮機の電装部品。
【請求項６】
前記カバーと前記取付金具とは異なる色で構成したことを特徴とする請求項１ないし請求項５のいずれかに記載の圧縮機の電装部品。
【発明の詳細な説明】
【０００１】
【発明の属する技術分野】
本発明は、圧縮機（密閉形電動圧縮機）に使用される電装部品に関し、特に圧縮機の容器に設けた密封端子部に備えた電装品を覆うカバーに関するものである。
【０００２】
【従来の技術】
冷凍装置に使用する圧縮機の電装品を覆うカバーについて、特許第２６７８０２０号公報に記載されているように、カバーの爪部を圧縮機に固定されたブラケット（取付金具）の係止孔に係合して取付固定する構造と、カバーの中空部からマイナスドライバを差し込むことにより爪部の係止を外してカバーを取外し可能とする構造とにより、着脱の作業性を向上させる提案がなされている。
【０００３】
【発明が解決しようとする課題】
しかしながら、上述したような従来技術の電装品カバーでは、カバーが備える弾性力のみで爪部をブラケットの係止孔に係合する構造であるため、カバーの固定力が弱いことから少しの外力でカバーが外れてしまう恐れや、圧縮機の運転振動で騒音を発生する恐れがある。
また、カバーの素材は一般的に合成樹脂などを用いるため、過時変化や熱の影響で変形あるいは弾性力低下が発生して、カバーが外れてしまう恐れもある。
【０００４】
一方、取外しの際にカバーの中空部からマイナスドライバを挿入する構造では、爪部が見えにくく作業性が悪い。
【０００５】
本発明は、上記課題に鑑み、カバーの固定力と着脱の作業性とをさらに向上できる圧縮機の電装部品を提供するものである。
【０００６】
【課題を解決するための手段】
上記課題を解決するため、請求項１にかかる発明は、圧縮機の容器に設けた密封端子部を覆う前記容器外表面に固着された取付金具と、この取付金具に装着したコード保持具およびカバーとからなり、前記取付金具には上部の左右に対向する切り起こしと、中央部の左右に対向して係止孔を有する切り起こしと、下部を折り曲げた突出部とを備え、この突出部に装着される前記コード保持具には左右両側面を延長するように１対のリブを備え、前記カバーには左右両側壁の外表面に挿入方向に向かって傾斜するテーパ状の突起を前記切り起こしの係止孔に対応する位置に備え、前記上部切り起こしと前記リブとが内側で前記中央部切り起こしが外側に位置して、挿入される前記カバーの側壁を挟持する構造としたことにより、カバーを保持する固定力を増すことができるものである。
【０００７】
請求項２にかかる発明は、前記カバーの各々の突起は２個の凸部からなり、この２個の凸部間は前記カバーの側壁外表面と同一平面であることにより、２個の凸部がガイドとなりマイナスドライバを凸部の間に容易に挿入することができるものである。
【０００８】
請求項３にかかる発明は、前記２個の凸部は高さが異なることにより、カバー装着の際に変形する側壁の凸部と取付金具との当接力を均一にすることができるものである。
【０００９】
請求項４にかかる発明は、前記取付金具の上部切り起こしには孔を備え、この孔に対応した位置の前記カバーの側壁には、挿入方向端に連なるスリットを設けたことにより、カバーをねじで取付金具に固定することができるものである。
【００１０】
請求項５にかかる発明は、前記カバーの天壁内面には、前記取付金具の上部切り起こしに近接して前記スリットを形成した側壁に略平行な遮蔽壁を設けたことにより、スリットと取付金具の孔とを通して外部から水やほこりが直接内部に入ることを防止できるものである。
【００１１】
請求項６にかかる発明は、前記カバーと前記取付金具とは異なる色で構成したことによって、カバーに形成した突起が取付金具の係止孔に係止されている状態を容易に識別できるものである。
【００１２】
【発明の実施の形態】
以下本発明の実施の形態を図面に基づき説明する。
【００１３】
図１は圧縮機に本発明の実施例である電装部品を装着している状態の外観側面を示し、図２はその電装部品のカバーを示す斜視図、図３は取付金具にコード保持具およびカバーを装着する状態の斜視図、図４はカバーを装着途中の状態（図１のＡ−Ａ´断面）を示し、図５はカバー装着後の状態（図１のＡ−Ａ´断面）を示している。
【００１４】
図中９０は圧縮機の容器で図示しない密封端子が設けられており、この密封端子部の容器外表面には取付金具２が溶接等により固着される。この取付金具２には上部の左右を約９０度折り曲げて対向させた切り起こし１２と、同様に中央部の左右を約９０度折り曲げて対向させ、方形の係止孔１１を有する切り起こし１３と、下部を約９０度折り曲げた突出部５とを備えている。
【００１５】
この吐出部５に装着されるコード保持具４には左右両側面を延長するように１対のリブ１４が備えられており、このリブ１４と前述した取付金具２の切り起こし１２とが内側に入るように覆うカバー１が挿入される。このカバー１には左右両側壁８の外表面に挿入方向に向かって傾斜するテーパ状の突起１０が、前述した取付金具２の切り起こし１３に有する係止孔１１に対応した位置に備えられている。また、カバー１の左右両側壁８の内表面には前述した切り起こし１２の下側に近接する位置に突条９を備えている。
【００１６】
このように構成された本発明の電装部品では図４および図５に示すように、カバー１の天壁７と側壁８および側壁８に備えた突条９とが取付金具２の切り起こし１２を囲うように構成されているので、コード保持具４を装着した取付金具２にカバー１を挿入する際の案内となり、カバー１の取付位置を容易に定めることが可能となる。
【００１７】
また、カバー１の側壁８内側の上方に取付金具２の起こし１２と、下側にコード保持具４のリブ１４とが配置されるので、図４に示すようにカバー１を挿入する際に側壁８の中央部は内側に大きく変形させることができるので、側壁８の外表面に備えられた突起１０がカバー１の外側に配置される取付金具２の切り起こし１３に有する係止孔１１へ係止されるまで、挿入途中で突起１０の高さ寸法を吸収でき、挿入作業を容易に行うことが可能となる。
【００１８】
さらに、カバー１の側壁８は取付金具２の切り起こし１２およびコード保持具４のリブ１４が内側から、そして切り起こし１３が外側から挟むように当接する構成となるので、カバーを保持する固定力が従来例のように単にカバーが変形して生じる力よりも大きくすることが可能となる。これにより、クリップ等の固定力を補強するための別部品も不要とすることができ、カバーの取付作業性と過時変化に対する信頼性を向上させた電装部品を供給できる。
【００１９】
図２は本発明の本発明の第２の実施例を示すカバーの斜視図、図６はカバーの取外し作業を示す斜視図、図７はカバー側壁に形成された突起の構成を示す側面図である。
【００２０】
図中２０，２１は一組の凸部で、カバー１の左右両側壁８の外表面に挿入方向に向かって傾斜するテーパ状の突起１０を形成しているものであり、この凸部２０，２１間は側壁８の外表面と同一平面の平坦部１６として構成されている。
【００２１】
１７はマイナスのドライバで、前述した凸部２０，２１の間隔はドライバ１７の先端部１８が挿入できる寸法に構成されている。
【００２２】
このように構成された本発明の電装部品では、カバー１を取外す際図６に示すようにドライバ１７の先端部１８をカバー１と取付金具２の間に押し進め、凸部２０，２１間の平坦部１６まで挿入して回転させることで、取付金具２の係止孔１１からカバー１の凸部２０，２１が容易に外れ、簡単にカバー１を外すことが可能になる。
【００２３】
ここで、本発明のカバー１の係止を外すためのドライバ１７を挿入する部位が、カバー１の外側に構成されていることにより見易く、また、凸部２０，２１はドライバの先端部１８を挿入するガイドとしての役目も果たすので、カバーの取外し作業性を向上できる。
【００２４】
また、図７に示すように凸部２０，２１の間隔はドライバの先端部１８を挿入する側の幅１９が大きいハの字形状にすることにより、ドライバの先端部１８がさらに入り易くなり作業性を向上できる。
【００２５】
本発明の第３の実施例を図４のカバー装着途中の状態を示す断面図を参照して説明する。図中２０，２１はカバー１の側壁８に形成された突起１０を構成する一組の凸部で、側壁８の外表面から突出する高さが異なる寸法に形成されている。１２は取付金具２上部の左右に形成された切り起こしで、１３は同じく取付金具２の中央部に形成された切り起こし、１４はコード保持具４の左右両側面を延長するように形成されたリブである。
【００２６】
このように構成された本発明の電装部品では、カバー１を装着する際に切り起こし１２とリブ１４とで側壁８の上下を内側から支持されるので、中央部は外側を支持する切り起こし１３に規制され内側に撓む状態で挿入される。
【００２７】
ここで、本発明に用いるカバー１の下側壁は、コード保持具４に接する部位の壁を省資源を目的に設けていないことから、側壁８が内側に撓む変形の自由度は下側のほうが大きくなるので、突起１０を構成する凸部２０，２１の突出高さは下側に位置する凸部２０を大きくしている。
【００２８】
この構成により、カバー１を装着する際に凸部２０，２１と取付金具２の切り起こし１３との当接力が均一になり、スムーズにカバー１の取付けを行うことができる。
【００２９】
本発明の第４の実施例を図３に示すカバーとコード固定具を取付金具に装着する状態の斜視図、図８に示すカバーを装着した状態の斜視図を参照して説明する。図中３１は取付金具２の上部の切り起こし１２に形成された孔、３０はカバー１の左右両側壁の上方に位置し、取付け面の開放端部に連なるスリットで、３２はカバー１を取付金具２に固定するねじである。
【００３０】
このように構成された本発明の電装部品では、圧縮機が運転した際に発生する振動でカバー１が加振され、取付金具２とこれに接触しているカバー１との擦れから騒音を生じるおそれがあり、このような状態が発生する際にはカバー１を装着した状態で、スリット３０部を取付金具２に形成された孔３１にねじ３２を使用して図８に示すように固定できる。
【００３１】
これにより、圧縮機の使用環境によって変化する振動の大きさによって、選択的にカバー１を固定して騒音の発生を防止することができる。さらに、カバー１を取付金具２に装着する方向に開いたスリット３０を設けたことにより、ねじ３２を緩めることでカバー１の取外しを容易に行うことできる。
【００３２】
また、左右の側壁にスリットを設けたことによって、ねじ止めの作業し易い方向と騒音が発生し易い方向とから、ねじ止めの方向を選択して固定することもできる。
【００３３】
なお、スリットを設ける位置や数は本実施例に特定されるものではなく、カバー取付け強度の補強など他の目的のためにねじ止めしてもよい。
【００３４】
本発明の第５の実施例を図３に示すカバーとコード固定具を取付金具に装着する状態の斜視図と、図５に示すカバー装着後の状態の断面図とを参照して説明する。図中３３はカバー１の天壁７内面に形成された遮蔽壁で、カバー１を装着した際に取付金具の上部切り起こし１２に近接してスリット３０を設けた側壁８に略平行に設けられている。
【００３５】
この構成により、前述したカバー１の側壁８に形成されたスリット３０と、取付金具２の上部切り起こし１２に形成された孔３１との開口が、ねじを使用しない状態でも図５に示すように遮蔽する構造を得ることができ、スリット３０と孔３１とを通して外部から水やほこりが内部に直接入ることを防止できる。これにより、圧縮機の密封端子部で絶縁低下などの不具合が発生するを防止して信頼性を向上させることが可能となる。
【００３６】
本発明の第６の実施例は前述したカバー１と取付金具２とは異なる色で構成したものであり、図８のカバーを装着した状態の斜視図に示すように、カバー１に備えた突起を形成する凸部２０，２１と、方形の係止孔１１を備える取付金具２の色が異なることにより、凸部２０，２１が係止孔１１に入り係止されている状態を目視で容易に確認でき、カバー１の装着作業性と取付の信頼性とを向上できる。
【００３７】
【発明の効果】
以上説明したように請求項１の発明によれば、圧縮機の容器に設けた密封端子部を覆う前記容器外表面に固着された取付金具と、この取付金具に装着したコード保持具およびカバーとからなり、前記取付金具には上部の左右に対向する切り起こしと、中央部の左右に対向して係止孔を有する切り起こしと、下部を折り曲げた突出部とを備え、この突出部に装着される前記コード保持具には左右両側面を延長するように１対のリブを備え、前記カバーには左右両側壁の外表面に挿入方向に向かって傾斜するテーパ状の突起を前記切り起こしの係止孔に対応する位置に備え、前記上部切り起こしと前記リブとが内側で前記中央部切り起こしが外側に位置して、挿入される前記カバーの側壁を挟持する構造としたことにより、カバーを保持する固定力を増すことができることから、クリップ等による固定補助部品を不要とし、装着の作業性を向上できるものである。
【００３８】
請求項２の発明によれば、前記カバーの各々の突起は２個の凸部からなり、この２個の凸部間は前記カバーの側壁外表面と同一平面であることにより、２個の凸部がガイドとなりマイナスドライバを凸部の間に容易に挿入することができ、カバーを取外す作業性を向上できるものである。
【００３９】
請求項３の発明によれば、前記２個の凸部は高さが異なることにより、カバー装着の際に変形する側壁の凸部と取付金具との当接力を均一にすることができ、スムーズな取付けが可能となり、装着の作業性を向上できるものである。
【００４０】
請求項４の発明によれば、前記取付金具の上部切り起こしには孔を備え、この孔に対応した位置の前記カバーの側壁には、挿入方向端に連なるスリットを設けたことにより、カバーをねじで取付金具に固定することができ、振動による騒音の発生が予想される際にカバーを固定して騒音の発生を防止し、着脱の作業性と固定力の向上を図ることができる。
【００４１】
請求項５の発明によれば、前記カバーの天壁内面には、前記取付金具の上部切り起こしに近接して前記スリットを形成した側壁に略平行な遮蔽壁を設けたことにより、スリットと取付金具の孔とを通して外部から水やほこりが直接内部に入ることを防止でき、密封端子部の信頼性を向上できるものである。
【００４２】
請求項６の発明によれば、前記カバーと前記取付金具とは異なる色で構成したことによって、カバーに形成した突起が取付金具の係止孔に係止されている状態を容易に識別でき、カバーの装着作業性と取付の信頼性とを向上できるものである。
【図面の簡単な説明】
【図１】本発明の電装部品を備えた圧縮機の側面図。
【図２】同カバーの斜視図。
【図３】同カバーとコード固定具を取付金具に装着する状態を示す斜視図。
【図４】同カバー装着途中の状態を示す断面図。
【図５】同カバー装着後の状態を示す断面図。
【図６】同カバーの取外し作業を示す斜視図。
【図７】同カバーの突起を示す側面図。
【図８】同カバーを装着した状態を示す斜視図。
【符号の説明】
１  カバー
２  取付金具
４  コード保持具
５  突出部
１０  突起
１１  係止孔
１２，１３  切り起こし
１４  リブ
１６  平坦部
２０，２１  凸部
２１  凸部
３０  スリット
３１  孔
３２  ねじ
３３  遮蔽壁
９０  容器
【図１】
0003768114.tif 000002
【図２】
0003768114.tif 000003
【図３】
0003768114.tif 000004
【図４】
0003768114.tif 000005
【図５】
0003768114.tif 000006
【図６】
0003768114.tif 000007
【図７】
0003768114.tif 000008
【図８】
0003768114.tif 000009